(57)【要約】  【課題】電子機器の類似製品群に使用する安価且つ迅速な変更が対応可能である電子機器用パネルおよびその共通化されたパネルベースを提供する。  【解決手段】共通化されたパネルベース１１の略平坦な前面に多数の取付穴１１２に、複数の化粧パネル１２、１３、１４等の異なる補助部品に形成されたボス１２１、１３１、１４１を選択的に挿入固定して、複数の異なる電子機器用パネル１０、２０、３０等を構成する。これらのボスの一部は、導電性として静電誘導用ボス１２２となし得る。【選択図】図１
2006186056.tif 000002
【特許請求の範囲】
【請求項１】
予め決められた位置に複数の小径の取付穴が形成された略平坦面を有するパネルベースと、背面に複数のボスが形成され、前記パネルベースに形成された前記複数の取付穴のうちの幾つかの取付穴に選択的に挿入固定される複数の補助部品とを備えることを特徴とする電子機器用パネル。
【請求項２】
前記補助部品の少なくとも一部は、前記パネルベースの前記平坦面の前記取付穴に挿入固定される複数のボスが形成された複数の化粧パネルであることを特徴とする請求項１に記載の電子機器用パネル。
【請求項３】
前記補助部品の前記ボスの一部は導電性として、静電気誘導用ボスとすることを特徴とする請求項１又は２に記載の電子機器用パネル。
【請求項４】
前記パネルベースは、比較的大きな開口を有し、該開口部の前面にフロントガラスを被着することを特徴とする請求項１、２又は３に記載の電子機器用パネル。
【請求項５】
前記補助部品である複数の化粧パネルの少なくとも一部は、前記パネルベースに相互に重ね合わせて配置固定されることを特徴とする請求項１乃至４の何れかに記載の電子機器用パネル。
【請求項６】
全体形状は一定であるが細部の形状や配置が異なる一連の電子機器群のパネルに共通使用されるパネルベースにおいて、
略平坦な表面の予め決められた位置に多数の小径の取付穴が形成され、背面に形成された複数のボスを有する複数の補助部品を選択的に前記取付穴に挿入して固定可能にすることを特徴とするパネルベース。
【発明の詳細な説明】
【技術分野】
【０００１】
本発明は電子機器用パネルに関し、特に一連の製品群（又は類似モデル製品）を構成する各種電子機器および電子応用機器（以下、本明細書中では総称して電子機器という）の電子機器用パネルおよびそのパネルベースに関する。
【背景技術】
【０００２】
音響（オーディオ）機器、車載機器、ゲーム機器、デジタルカメラ等の電子機器は、メーカにより量産されるのが一般的である。そして、斯かる電子機器は、対象とするユーザの年齢層、性別、国民性等に応じて、形状、色彩、機能、表示その他の点で部分的に相違する複数のモデルを揃え、ユーザが選択可能にしている。また、競合商品との差別化のために、適時モデルチェンジを行い、競争力を維持し、マーケットシェアを高める努力をするのが一般的である。
【０００３】
斯かる電子機器等にあっては、内部の電気的性能と共にパネルの形状、色彩および配置等がユーザにアピールするので、ユーザは製品の外観、特にパネルにこだわる傾向がある。そこで、メーカは、斯かる製品のモデル毎にパネル設計を行うのが一般的であり、そのためにモデル毎に相当の開発費用および時間を必要とした。価格競争が激化すると共にユーザの好みが変化して製品のライフサイクルが短くなると共に、使用する部品を共通化する必要性が高まっている。
【０００４】
斯かるニーズに対応するため、図５に示す如く、国際的な市場を有するデジタルカメラ５０では、機器の本体５１およびフロントカバー５２間に装飾紙５３を配置し、この装飾紙５３を商品の市場に応じて変更可能にする電子機器が開示されている（例えば、特許文献１参照。）。
【０００５】
【特許文献１】特開２００４−１１９８５２号公報（第３頁、図２、図３）
【発明の開示】
【発明が解決しようとする課題】
【０００６】
しかし、上述の如き従来技術では、機器本体およびフロントカバーが共通化可能であるのみであり、使用する部品の配置や形状の変更のみならず、全く異なるタイプや個数の部品を使用可能にする共通化ができない、即ち共通化が著しく制限されるという課題があった。
【０００７】
本発明は、従来技術の上述した課題に鑑みなされたものであり、共通化されたパネル本体を使用して、例えばハイエンドからローエンドまでの広範囲のモデルに対応可能な電子機器用パネルおよびそのパネルベースを提供することを目的とする。
【課題を解決するための手段】
【０００８】
前述の課題を解決するため、本発明による電子機器用パネルおよびそのパネルベースは次のような特徴的な構成を採用している。
【０００９】
（１）予め決められた位置に複数の小径の取付穴が形成された略平坦面を有するパネルベースと、背面に複数のボスが形成され、前記パネルベースに形成された前記複数の取付穴のうちの幾つかの取付穴に選択的に挿入固定される複数の補助部品とを備える電子機器用パネル。
（２）前記補助部品の少なくとも一部は、前記パネルベースの前記平坦面の前記取付穴に挿入固定される複数のボスが形成された複数の化粧パネルである上記（１）の電子機器用パネル。
（３）前記補助部品の前記ボスの一部は導電性として、静電気誘導用ボスとする上記（１）又は（２）の電子機器用パネル。
（４）前記パネルベースは、比較的大きな開口を有し、該開口部の前面にフロントガラスを被着する上記（１）、（２）又は（３）の電子機器用パネル。
（５）前記補助部品である複数の化粧パネルの少なくとも一部は、前記パネルベースに相互に重ね合わせて配置固定される上記（１）乃至（４）の何れかの電子機器用パネル。
（６）全体形状は一定であるが細部の形状や配置が異なる一連の電子機器群のパネルに共通使用されるパネルベースにおいて、
略平坦な表面の予め決められた位置に多数の小径の取付穴が形成され、背面に形成された複数のボスを有する複数の補助部品を選択的に前記取付穴に挿入して固定可能にするパネルベース。
【発明の効果】
【００１０】
本発明の電子機器用パネルおよびそのパネルベースによると、次の如き実用上の顕著な効果が得られる。即ち、共通化されたパネルベースを使用し、これに複数の化粧パネル等の補助部品を選択的に配置して類似モデル製品のパネルを形成することが可能であるので、製品モデル毎にパネルを設計する必要がなく、製造コストを低減すると共にユーザのニーズに応じて複数の類似モデル製品を迅速に製造して提供することが可能である。
【実施例１】
【００１１】
以下、本発明による電子機器用パネルおよびそれに使用するパネルベースの好適実施例の構成および作用を、添付図面を参照して詳細に説明する。
【００１２】
先ず、図１は、本発明による電子機器用パネルの第１実施例の構成を示す分解斜視図である。この電子機器用パネル１０は、パネルベース（又はパネル本体）１１およびこのパネルベース１１に固定される複数の補助部品である３個の化粧パネル（化粧パネルＡ〜Ｃ）１２、１３、１４、リングＢ１５およびフロントガラスＡ１６により構成される。
【００１３】
この特定実施例において、パネルベース１１は、例えば適当なエンジニアリングプラスチックで成形（モールド）により形成される略矩形状である。このパネルベース１１の前面（図１中の上面）は、略平坦面であり、予め決められた位置に多数の小径の穴（又は取付穴）１１２が形成されている。また、このパネルベース１１には、複数の比較的大きい（即ち、穴１１２に比較して大きなサイズの）開口１１３、１１４、１１５が形成されている。これらの開口１１３、１１４には、例えば電子機器の回転制御つまみ等の制御軸が挿通される。一方、開口１１５には、例えば液晶表示パネル（ＬＣＤ）等の表示部が配置されてもよい。
【００１４】
パネルベース１１の前面には、複数の補助部品が選択的に配置固定可能である。図１に示す第１実施例の電子機器用パネル１０にあっては、パネルベース１１の前面の中央部に細長い化粧パネルＡ１２および左右両端部に略馬蹄形の化粧パネルＢ１３および化粧パネルＣ１４が配置固定される。これらの化粧パネル１２〜１４には、その裏面にそれぞれ複数のボス１２１、１３１、１４１が突出形成されている。これらのボス１２１、１３１、１４１は、それぞれパネルベース１１に形成された穴１１２に選択的に挿入され、例えば溶着により固定される。尚、パネルベース１１の左右両端部には、段状部１１６、１１７が形成され、パネルベース１１に固定されると、これら複数の化粧パネル１２〜１４の表面（又は前面）は略平坦面となる。
【００１５】
化粧パネルＡ１２は、左右両端近傍に円形の開口１２３、１２４が、また中央部にはパネルベース１１の開口１１５に対応する略矩形状の開口１２５が形成されている。そして、開口１２４には、リングＢ１５が取り付けられる。一方、化粧パネルＡ１２の上面には、矩形状の開口１２５を覆うようにフロントガラスＡ１６が、例えば両面接着テープ等により被着される。
【００１６】
上述の如く、図１に示す電子機器用パネル１０は、パネルベース１１の平坦面複数（３個）の化粧パネル１２〜１４と共にリング１５およびフロントガラス１６を配置して構成される。そして、パネルベース１１と各化粧パネル１２〜１４の固定は、パネルベース１１の複数の穴１１２に化粧パネル１２〜１４の複数のボス１２１〜１４１を挿入して、例えば溶着により行なわれる。尚、これら化粧パネル１２~１４の全て又は一部、例えば化粧パネル１２の複数のボス１２１の一部を、例えば表面にクロムめっき等により導電性として、静電気誘導用ボス１２２として、静電気によるトラブルの防止を行なってもよい。また、これら複数の化粧パネル１２〜１４等の補助部品をパネルベース１１の所定位置に配置するには、例えば周知の真空吸着ノズル等を使用して自動組立することも可能である。
【実施例２】
【００１７】
次に、図２を参照して、本発明による電子機器用パネルの第２実施例を説明する。図２は、本発明による電子機器用パネルの第２実施例の分解斜視図である。この電子機器用パネル２０は、上述した第１実施例の電子機器用パネル１０のパネルベース１１を共通使用して別構成の電子機器用パネルを構成するものである。
【００１８】
このパネルベース１１の左端部に、リングＡ２３を取り付ける。即ち、リングＡ２３に形成された複数のリブ２３１を、パネルベース１１に形成されている複数の穴１１２のうち選択された穴に挿入して固定する。このリングＡ２３上に化粧パネルＤ２１が取り付けられ、別の化粧パネルＥ２２がパネルベース１１の右端部に取り付けられ、その開口部２２２にリングＢ２４が取り付けられる。更に、パネルベース１２の中央部の開口１１５を覆うようにフロントガラスＢ２５が取り付けられる。尚、化粧パネル２１および２２は、複数のボス（図示せず）を、パネルベース１１の選択された穴１１２に挿入固定してもよい。
【００１９】
上述の如く、第２実施例の電子機器用パネル２０は、第１実施例の電子機器用パネル１０と共通化されたパネルベース１１に２個の化粧パネル２１、２２、２個のリング２３、２４およびフロントガラス２５の補助部品を取り付けて構成される。そして、これらの補助部品の少なくとも一部は、パネルベース１１の穴１１２に補助部品のボスを挿入して固定される。
【実施例３】
【００２０】
次に、図３を参照して、本発明による電子機器用パネルの第３実施例を説明する。図３は、第３実施例の電子機器用パネル３０の分解斜視図である。この電子機器用パネル３０は、上述した第１実施例および第２実施例の電子機器用パネル１０および２０と共通化されたパネルベース１１と、２個の化粧パネル３１、３２、２個のリング３３、３４およびフロントガラス３５の補助部品とにより構成されている。
【００２１】
パネルベース１１の左端に開口１１３と同心状にリングＣ３３が取り付けられ、更にその上に化粧パネルＤ３１が取り付けられている。また、パネルベース１１の右端には、化粧パネルＥ３２が取り付けられている。そして、パネルベース１１の中央部には、矩形状の開口１１５を覆うようにフロントガラス３５が取り付けられている。
【００２２】
ここで、リングＣ３３は、複数のボス３３１をパネルベース１１の穴１１２に挿入して固定される。同様に、化粧パネル３１および３２も複数のボス３１１等をパネルベース１１の穴１１２に挿入することにより固定される。更に、これらの化粧パネル３１、３２には静電誘導ボス３１２、３２２が形成されている。また、化粧パネルＥ３２の円形開口３２３にリングＤ３４がパネルベース１１の円形開口１１４と同心状に配置される。
【００２３】
上述の実施例に示す如く、共通化されたパネルベース１１を使用して、複数の異なる化粧パネルやリング等の補助部品を異なる組合せで配置して、異なる複数の電子機器用パネル１０〜３０等を構成する。そして、これらの化粧パネルやリング等に形成された複数のボスを共通化されたパネルベース１１に形成された多数の穴（又は取付穴）１１２に挿入して溶着等により固定可能である。また、ボスに導電性を持たせることで、静電気を誘導することができる。
【００２４】
尚、パネルベース１１と化粧パネル等の固定は、必ずしも上述した取付穴１１２にボスを挿入して溶着することに限定するものではなく、他の固定手段で固定してもよい。図４は、斯かる他の固定手段の具体例を示す。パネルベース１１に形成された取付穴１１２の１個以上に、化粧パネルＧ４３の１個以上のフック付き突起４５を挿入して係合固定する。そして、他の化粧パネルＦ４１に形成されたボス４２を化粧パネルＧ４３の取付穴４４に挿入固定してもよい。
【００２５】
以上、本発明による共通化されたパネルベースを使用する電子機器用パネルの幾つかの実施例について説明したが、斯かる実施例は、本発明の単なる例示に過ぎず、何ら本発明を限定するものではない。本発明の要旨を逸脱することなく、特定用途やニーズに応じて種々の変形変更が可能であること、当業者には容易に理解できるところである。
【図面の簡単な説明】
【００２６】
【図１】本発明による電子機器用パネルの第１実施例の分解斜視図である。
【図２】本発明による電子機器用パネルの第２実施例の分解斜視図である。
【図３】本発明による電子機器用パネルの第３実施例の分解斜視図である。
【図４】パネルベースと複数の化粧パネルの固定手段の説明図である。
【図５】従来の電子機器用パネルの分解斜視図である。
【符号の説明】
【００２７】
１０、２０、３０  電子機器用パネル
１１  共通化されたパネルベース
１１２  取付穴
１１３、１１４、１１５  開口
１２、１３、１４、２１、２２、３１、３２  化粧パネル（補助部品）
【図１】
2006186056.tif 000003
【図２】
2006186056.tif 000004
【図３】
2006186056.tif 000005
【図４】
2006186056.tif 000006
【図５】
2006186056.tif 000007